(57)【要約】【課題】ＥＵＬ呼の上りデータの破棄および再送を抑制すること。【解決手段】移動局装置から基地局装置１に向かう上り方向のデータ伝送に用いる電力を所定の条件下において増加させるＥＵＬサービスに適用され、所定の条件が満たされたときには移動局装置に対してＥＵＬ呼の上り電力を増加させる指示を送信するスケジューラ部１０を備える基地局装置１において、ＤＰＣＨ呼の上り方向のデータ伝送に用いる回線におけるデータ伝送量の急増を予測する上りデータバースト検出部１１と、上りデータバースト検出部１１がＤＰＣＨ呼の上り方向の回線におけるデータ伝送量の急増を予測したときには、スケジューラ部１０における上り電力を増加させる指示のＥ−ＡＧＣＨ／Ｅ−ＲＧＣＨの送信を停止させるＥ−ＡＧＣＨ／Ｅ−ＲＧＣＨ送信停止部１２と、を備える。【選択図】図２
2011091734.tif 000002
【特許請求の範囲】
【請求項１】
移動局装置から基地局装置に向かう上り方向のデータ伝送に用いる電力を所定の条件下において増加させるＥＵＬサービスに適用され、上記所定の条件が満たされたときには上記移動局装置に対してＥＵＬ呼の上り電力を増加させる指示を送信する上り電力増加指示送信部を備える基地局装置において、
上記上り方向のデータ伝送に用いる回線におけるＤＰＣＨ呼のデータ伝送量の急増を予測する上りデータバースト検出部と、
上記上りデータバースト検出部がＤＰＣＨ呼の上り方向の回線におけるデータ伝送量の急増を予測したときには、上記上り電力増加指示送信部における上記上り電力を増加させる指示のＥ−ＡＧＣＨ／Ｅ−ＲＧＣＨの送信を停止させる上り電力増加指示送信停止部と、
を備える、
ことを特徴とする基地局装置。
【請求項２】
請求項１記載の基地局装置において、
前記上りデータバースト検出部は、
所定の微小時間のうちに自己の基地局装置に設定されたＤＰＣＨ呼の呼数が所定値を超えたか否かを周期的に確認し、
所定時間のうちに自己の基地局装置に設定されたＤＰＣＨ呼の呼数が上記所定値を超えた場合には、
現時点での自己の基地局装置に設定されているＤＰＣＨ呼の呼数が第一の閾値を超えているという第一の条件と、
現時点での自己の基地局装置に設定されているＥＵＬ呼の呼数が第二の閾値を超えているという第二の条件と、
現時点での自己の基地局装置に設定されているＥＵＬ呼の上りデータの平均スループットが第三の閾値を超えているという第三の条件と、
現時点での自己の基地局装置に設定されているＤＰＣＨ呼の上りデータの平均スループットが第四の閾値を超えているという第四の条件と、
が同時に満たされるときには、上り方向の回線におけるデータ伝送量の急増が予測されたと判断する、
ことを特徴とする基地局装置。
【請求項３】
移動局装置から基地局装置に向かう上り方向のデータ伝送に用いる電力を所定の条件下において増加させるＥＵＬサービスに適用され、
基地局装置が、上記所定の条件が満たされたときには上記移動局装置に対して上り電力を増加させる指示を送信する上り電力増加指示送信ステップを実行する通信制御方法において、
ＤＰＣＨ呼の上記上り方向のデータ伝送に用いる回線におけるデータ伝送量の急増を予測する上りデータバースト検出ステップと、
上記上りデータバースト検出ステップの処理によりＤＰＣＨ呼の上り方向の回線におけるデータ伝送量の急増を予測したときには、上記上り電力増加指示送信ステップの処理における上記上り電力を増加させる指示のＥ−ＡＧＣＨ／Ｅ−ＲＧＣＨの送信を停止させる上り電力増加指示送信停止ステップと、
を有する、
ことを特徴とする通信制御方法。
【請求項４】
請求項３記載の通信制御方法において、
前記上りデータバースト検出ステップの処理は、
所定の微小時間のうちに自己の基地局装置に設定されたＤＰＣＨ呼の呼数が所定値を超えたか否かを周期的に確認し、
所定時間のうちに自己の基地局装置に設定されたＤＰＣＨ呼の呼数が上記所定値を超えた場合には、
現時点での自己の基地局装置に設定されているＤＰＣＨ呼の呼数が第一の閾値を超えているという第一の条件と、
現時点での自己の基地局装置に設定されているＥＵＬ呼の呼数が第二の閾値を超えているという第二の条件と、
現時点での自己の基地局装置に設定されているＥＵＬ呼の上りデータの平均スループットが第三の閾値を超えているという第三の条件と、
現時点での自己の基地局装置に設定されているＤＰＣＨ呼の上りデータの平均スループットが第四の閾値を超えているという第四の条件と、
が同時に満たされるときには、上り方向の回線におけるデータ伝送量の急増が予測されたと判断するステップを有する、
ことを特徴とする通信制御方法。
【請求項５】
情報処理装置にインストールすることにより、その情報処理装置に、
請求項１または２記載の基地局装置の機能を実現する、
ことを特徴とするプログラム。
【発明の詳細な説明】
【技術分野】
【０００１】
本発明は、基地局装置、通信制御方法およびプログラムに関する。
【背景技術】
【０００２】
現在、第３〜３．５世代移動通信システムのＷ−ＣＤＭＡ(Wideband Code Division Multiple Access) 方式の１つとして、基地局装置から移動局装置への下り方向（ダウンリンク）の大容量高速パケットデータ転送（最大約１４Ｍｂｐｓのスループット）を提供するＨＳＤＰＡ(High Speed Down link Packet Access)方式が規定され、実際にＷ−ＣＤＭＡ装置において運用が開始されている（たとえば特許文献１参照）。
【０００３】
さらに、このＨＳＤＰＡを補完する技術として、上り方向（アップリンク）の大容量高速パケットデータ転送（上り方向の通信速度を５．８Ｍｂｐｓに高速化）を提供するＨＳＵＰＡ(High Speed Uplink Packet Access)が規定されている。
【０００４】
このＨＳＵＰＡサービスでは、基地局装置において、ＥＵＬ(Enhanced Up Link)端末である移動局装置からの上りデータパケットを効率良く受信できるようスケジューリングが行われる。具体的には、現在の状況（Ａｉｒの状態、伝送路の上り帯域の使用状態など）を確認し、移動局装置に対し、上り電力を増加または減少させるようにＥ−ＡＧＣＨ（絶対伝送速度制御チャネル：E-DCH(拡張専用チャネル：Enhanced Dedicated Channel)Absolute Grant Channel）／Ｅ−ＲＧＣＨ（相対伝送速度制御チャネル：E-DCH Relative Grant Channel）にて通知を行う。
【先行技術文献】
【特許文献】
【０００５】
【特許文献１】特開２００６−３０４２７８号公報
【発明の概要】
【発明が解決しようとする課題】
【０００６】
上述したＨＳＵＰＡサービスでは、ＥＵＬ呼と同じ物理回線をＤＰＣＨ(Downlink
Dedicated Physical Channel)呼が使用している状態で、ＤＰＣＨ呼の呼量がバースト的に急増した場合には、ＤＰＣＨ呼の上りデータのために確保されている使用帯域も増大してしまう。
【０００７】
このため、余りの帯域を使用しているＥＵＬ呼では、その上りデータが基地局装置内で破棄されてしまう。すると、基地局装置内では、破棄されたＥＵＬ呼の上りデータの再送処理が繰り返し行われる。もし、ＥＵＬ呼の呼数が多く、上りデータ量も多い場合には、再送回数が多くなり、基地局装置と移動局装置との間において、再送による処理が大きな負荷となってしまう。
【０００８】
本発明は、このような背景の下に行われたものであって、ＥＵＬ呼の上りデータの破棄および再送を抑制することができる基地局装置、通信制御方法およびプログラムを提供することを目的とする。
【課題を解決するための手段】
【０００９】
本発明の１つの観点は、基地局装置としての観点である。すなわち、本発明の基地局装置は、移動局装置から基地局装置に向かう上り方向のデータ伝送に用いる電力を所定の条件下において増加させるＥＵＬサービスに適用され、所定の条件が満たされたときには移動局装置に対してＥＵＬ呼の上り電力を増加させる指示を送信する上り電力増加指示送信部を備える基地局装置において、ＤＰＣＨ呼の上り方向のデータ伝送に用いる回線におけるデータ伝送量の急増を予測する上りデータバースト検出部と、上りデータバースト検出部がＤＰＣＨ呼の上り方向の回線におけるデータ伝送量の急増を予測したときには、上り電力増加指示送信部における上り電力を増加させる指示のＥ−ＡＧＣＨ／Ｅ−ＲＧＣＨの送信を停止させる上り電力増加指示送信停止部と、を備えるものである。
【００１０】
本発明の他の観点は、通信制御方法としての観点である。すなわち、本発明の通信制御方法は、移動局装置から基地局装置に向かう上り方向のデータ伝送に用いる電力を所定の条件下において増加させるＥＵＬサービスに適用され、基地局装置が、所定の条件が満たされたときには移動局装置に対してＥＵＬ呼の上り電力を増加させる指示を送信する上り電力増加指示送信ステップを実行する通信制御方法において、ＤＰＣＨ呼の上り方向のデータ伝送に用いる回線におけるデータ伝送量の急増を予測する上りデータバースト検出ステップと、上りデータバースト検出ステップの処理によりＤＰＣＨ呼の上り方向の回線におけるデータ伝送量の急増を予測したときには、上り電力増加指示送信ステップの処理における上り電力を増加させる指示のＥ−ＡＧＣＨ／Ｅ−ＲＧＣＨの送信を停止させる上り電力増加指示送信停止ステップと、を有するものである。
【００１１】
本発明のさらに他の観点は、プログラムとしての観点である。すなわち、本発明のプログラムは、情報処理装置にインストールすることにより、その情報処理装置に、本発明の基地局装置の機能を実現するものである。
【発明の効果】
【００１２】
本発明では、ＤＰＣＨ呼のデータ伝送量が急増することで、ＥＵＬ呼の上りデータにおいて大量の破棄が発生する可能性を予測し、故意にＥＵＬ呼のレートを上げないようにすることで、再送による基地局装置と移動局装置との間の処理を抑制することができる。
【図面の簡単な説明】
【００１３】
【図１】本発明の実施の形態に係る基地局装置を備える移動通信システムの構成図である。
【図２】図１の基地局装置の要部ブロック構成図である。
【図３】図２の上りデータバースト検出部の動作を示すフローチャートである。
【図４】図２のスケジューラ部、上りデータバースト検出部、およびＥ−ＡＧＣＨ／Ｅ−ＲＧＣＨ送信停止部の連携動作を示すシーケンス図である。
【発明を実施するための形態】
【００１４】
（本発明の実施の形態に係る基地局装置１の構成について）
本発明の実施の形態に係る基地局装置１の構成について図１および図２を参照して説明する。図１は、基地局装置１を備える移動通信システムの構成図である。図２は、基地局装置１の要部ブロック構成図である。
【００１５】
基地局装置１は、図１に示すように、ＥＵＬ端末である移動局装置２０との間で無線回線によって通信を行う。また、基地局装置１と移動局装置２０とが所定の通信品質を保って通信を行うことができる範囲としてセル３０が形成される。このように基地局装置１、移動局装置２０およびセル３０によって移動通信システムが構成されている。
【００１６】
基地局装置１は、図２に示すように、スケジューラ部１０、上りデータバースト検出部１１、およびＥ−ＡＧＣＨ／Ｅ−ＲＧＣＨ送信停止部１２から構成されている。なお、基地局装置１が従来から有する基本的な機能（通信制御機能など）については図示および説明は省略する。また、スケジューラ部１０は、請求項でいう上り電力増加指示送信部に相当し、Ｅ−ＡＧＣＨ／Ｅ−ＲＧＣＨ送信停止部１２は、請求項でいう上り電力増加指示送信停止部に相当する。
【００１７】
スケジューラ部１０は、特許文献１などで公知の機能である。すなわち、ＥＵＬ端末である移動局装置２０からの上りデータを効率良く受信できるようスケジューリングを実施し、移動局装置２０に対し、上り電力増加または減少を指示するＥ−ＡＧＣＨ／Ｅ−ＲＧＣＨを送信するものである。なお、基地局装置１では、スケジューラ部１０は、後述するＥ−ＡＧＣＨ／Ｅ−ＲＧＣＨ送信停止部１２を経由してＥ−ＡＧＣＨ／Ｅ−ＲＧＣＨを移動局装置２０へ送信する。
【００１８】
上りデータバースト検出部１１は、（１）：バースト的にＤＰＣＨ呼の受付数（たとえば３ＧＰＰ(Third Generation Partnership Project)におけるＲ９９呼(ＰＫＴ(Packet)／ＡＭＲ(Adaptive Multi-rate)が設定された数）が増大したことを検知する機能、（２）：現在のＥＵＬ呼およびＤＰＣＨ呼の上りデータの平均スループットが一定以上のレートであることを検知する機能、（３）：現在、基地局装置１に設定されているＥＵＬ呼およびＤＰＣＨ呼の呼数が一定以上であることを検知する機能、（４）：これらの（１）〜（３）の各機能において各事象を検知した場合、移動局装置２０へのＥ−ＡＧＣＨ／Ｅ−ＲＧＣＨ（スケジューラ部１０から受け取った上り電力増加指示のＥ−ＡＧＣＨ／Ｅ−ＲＧＣＨ）の送信を停止するよう、Ｅ−ＡＧＣＨ／Ｅ−ＲＧＣＨ送信停止部１２に通知する機能、および（５）：（４）の機能が動作した後、（１）〜（３）の各機能にて、各事象を一定期間検知しなくなった場合に、Ｅ−ＡＧＣＨ／Ｅ−ＲＧＣＨ送信停止部１２にスケジューラ部１０から受け取った上り電力増加指示のＥ−ＡＧＣＨ／Ｅ−ＲＧＣＨの送信停止を解除する旨の通知を行う機能を備えている。
【００１９】
Ｅ−ＡＧＣＨ／Ｅ−ＲＧＣＨ送信停止部１２は、スケジューラ部１０からＥ−ＡＧＣＨ／Ｅ−ＲＧＣＨを受信し、移動局装置２０に上り電力増加または減少のいずれを指示しているものかを検出する機能、スケジューラ部１０からＥ−ＡＧＣＨ／Ｅ−ＲＧＣＨを受信し、移動局装置２０に送信する機能、上りデータバースト検出部１１から上り電力減少を指示するＥ−ＡＧＣＨ／Ｅ−ＲＧＣＨを受信し、移動局装置２０に対して送信する機能、および上りデータバースト検出部１２から上り電力停止を指示するメッセージを受信したときにスケジューラ部１０から受信したＥ−ＡＧＣＨ／Ｅ−ＲＧＣＨが上り電力を増加させるものである場合、スケジューラ部１０からのＥ−ＡＧＣＨ／Ｅ−ＲＧＣＨの送信を停止する機能を備えている。
【００２０】
なお、Ｅ−ＡＧＣＨ／Ｅ−ＲＧＣＨ送信停止部１２は、上りデータバースト検出部１１の（５）の機能によって、データバースト検出部１１からＥ−ＡＧＣＨ／Ｅ−ＲＧＣＨの送信停止を解除する旨の通知が届くまでの間、スケジューラ部１０からの（上り電力を増加させる）Ｅ−ＡＧＣＨ／Ｅ−ＲＧＣＨの送信を停止する。
【００２１】
（基地局装置１の動作について）
次に、基地局装置１の動作について図１〜図４を参照して説明する。図３は、上りデータバースト検出部１１の動作を示すフローチャートである。図４は、スケジューラ部１０、上りデータバースト検出部１１、およびＥ−ＡＧＣＨ／Ｅ−ＲＧＣＨ送信停止部１２の連携動作を示すシーケンス図である。
【００２２】
上りデータバースト検出部１１が判断に用いる（式１）〜（式５）を以下に示す。
【００２３】
時刻Δｔの間に、新たに基地局装置１へ設定されたＤＰＣＨ呼の数＞α…（式１）
時刻ｔ時点での基地局に設定されているＤＰＣＨ呼の呼数Ａ＞β…（式２）
時刻ｔ時点での基地局に設定されているＥＵＬ呼の呼数Ｂ＞γ…（式３）
時刻ｔ時点での基地局に設定されているＥＵＬ呼の上りデータの平均スループットＣ（ＥＵＬ呼の上りデータ量総和／Ｂ）＞θ…（式４）
時刻ｔ時点でのＤＰＣＨ呼の上りデータの平均スループットＤ（（上りデータ量総和−Ｃ）／Ａ）＞ζ…（式５）
【００２４】
ここで、時刻Δｔは、前回、上りデータバースト検出部１１が動作した時刻から、今回、上りデータバースト検出部１１が動作した時刻までの時間を表す。時刻ｔは、現在の時刻（今回、上りデータバースト検出部１１が動作した時刻）を表す。α、β、γ、θは本システムを使用するユーザが設定するシステムパラメータとする。
【００２５】
すなわち、上りデータバースト検出部１１では、（式１）の条件が発生しているか否かを周期的に確認する。（式１）を満たしているならば、（式２）〜（式５）の条件に該当するか否かにより、ＥＵＬ呼に大量の破棄が発生する事象が発生する可能性があるかを検知する。
【００２６】
さらに詳しく説明すると、上りデータバースト検出部１１は、（式１）の条件の発生を検知することにより、バースト的にＤＰＣＨ呼の受付数が急増したことによる再送が発生する可能性の有無を検知する。すなわち、上りデータバースト検出部１１は、ＤＰＣＨ呼の受付数の急増が、（ユーザが設定した）システムパラメータα以下の場合には、ＤＰＣＨ呼の受付数が急増することにより再送が発生する可能性は低いと判断する。（一方、上りデータバースト検出部１１は、ＤＰＣＨ呼の受付数の急増が、ユーザが設定したシステムパラメータαを超える場合には、ＤＰＣＨ呼の受付数が急増することにより再送が発生する可能性は高いと判断する。）
【００２７】
続いて、上りデータバースト検出部１１は、呼数を（式２），（式３）で把握することにより再送が実施された場合のインパクトを検知する。すなわち、上りデータバースト検出部１１は、呼数が、ユーザが設定したシステムパラメータβ、γ以下の場合には、再送が実施された場合のインパクト（基地局装置と移動局装置の処理増大量）が小さいと判断する。一方、上りデータバースト検出部１１は、呼数が、ユーザが設定したシステムパラメータβ、γを超える場合には、再送が実施された場合のインパクト（基地局装置と移動局装置の処理増大量）が大きいと判断する。
【００２８】
これと並行して（式４），（式５）にて、上りデータバースト検出部１１は、現時点での上りデータ使用量を把握する。すなわち、上りデータバースト検出部１１は、現時点での上りデータ使用量が、ユーザが設定したシステムパラメータθ、ζ以下の場合には、再送が実施された場合のインパクト（基地局装置と移動局装置の処理増大量）が小さいと判断する。一方、上りデータバースト検出部１１は、現時点での上りデータ使用量が、ユーザが設定したシステムパラメータθ、ζを超える場合には、再送が実施された場合のインパクト（基地局装置と移動局装置の処理増大量）が大きいと判断する。
【００２９】
次に、上りデータバースト検出部１１の動作を図３のフローチャートを参照して説明する。
【００３０】
ＳＴＡＲＴ：上りデータバースト検出部１１は、基地局装置１が稼働するとステップＳ１の処理へ移行する。
【００３１】
ステップＳ１：上りデータバースト検出部１１は、（式１）の条件が発生しているか否かを判断する。すなわち、上りデータバースト検出部１１は、（式１）の条件が発生している場合（ステップＳ１でＹｅｓ）、ステップＳ２の処理へ移行する。一方、上りデータバースト検出部１１は、（式１）の条件が発生していない場合（ステップＳ１でＮｏ）、ステップＳ１の処理を繰り返し実行する。
【００３２】
ステップＳ２：上りデータバースト検出部１１は、（式２）〜（式５）の条件を満たしているか否かを判断する。すなわち、上りデータバースト検出部１１は、（式２）〜（式５）の条件を満たしている場合（ステップＳ２でＹｅｓ）、ステップＳ３の処理へ移行する。一方、上りデータバースト検出部１１は、（式２）〜（式５）の条件を満たしていない場合（ステップＳ２でＮｏ）、ステップＳ１の処理へ戻る。
【００３３】
ステップＳ３：上りデータバースト検出部１１は、上り電力増加指示のＥ−ＡＧＣＨ／Ｅ−ＲＧＣＨをスケジューラ部１０から受け取っているか否かを判断する。すなわち、上りデータバースト検出部１１は、上り電力増加指示のＥ−ＡＧＣＨ／Ｅ−ＲＧＣＨをスケジューラ部１０から受け取っている場合（ステップＳ３でＹｅｓ）、ステップＳ４の処理へ移行する。一方、上りデータバースト検出部１１は、上り電力増加指示のＥ−ＡＧＣＨ／Ｅ−ＲＧＣＨをスケジューラ部１０から受け取っていない場合（ステップＳ３でＮｏ）、ステップＳ１の処理へ戻る。
【００３４】
ステップＳ４：上りデータバースト検出部１１は、スケジューラ部１０から受け取った上り電力増加指示のＥ−ＡＧＣＨ／Ｅ−ＲＧＣＨの送信を停止するよう、Ｅ−ＡＧＣＨ／Ｅ−ＲＧＣＨ送信停止部１２に通知し、処理を終了する（ＥＮＤ）。
【００３５】
次に、スケジューラ部１０、上りデータバースト検出部１１、Ｅ−ＡＧＣＨ／Ｅ−ＲＧＣＨ送信停止部１２の連携動作を図４のシーケンス図を参照して説明する。スケジューラ部１０は、従来から知られているように、スケジューリングを行い、その結果をＥ−ＡＧＣＨ／Ｅ−ＲＧＣＨとして移動局装置２０に通知する（ステータスＳＴ１０）。
【００３６】
通常、スケジューラ部１０からのＥ−ＡＧＣＨ／Ｅ−ＲＧＣＨは、Ｅ−ＡＧＣＨ／Ｅ−ＲＧＣＨ送信停止部１２が受け取る（ステータスＳＴ１１）。
【００３７】
Ｅ−ＡＧＣＨ／Ｅ−ＲＧＣＨ送信停止部１２は、上りデータバースト検出部１１から後述するとおり、上り電力増加指示のＥ−ＡＧＣＨ／Ｅ−ＲＧＣＨの送信を停止するよう通知されていない場合、スケジューラ部１０から受け取ったＥ−ＡＧＣＨ／Ｅ−ＲＧＣＨをそのまま移動局装置２０に送信する（ステータスＳＴ１２）。
【００３８】
上りデータバースト検出部１１は、（式１）〜（式５）の条件を満し、図３のステップＳ４に至ると（ステータスＳＴ１３）、上り電力増加指示のＥ−ＡＧＣＨ／Ｅ−ＲＧＣＨの送信を停止するよう、Ｅ−ＡＧＣＨ／Ｅ−ＲＧＣＨ送信停止部１２に通知する（ステータスＳＴ１４）。
【００３９】
この後、Ｅ−ＡＧＣＨ／Ｅ−ＲＧＣＨ送信停止部１２は、スケジューラ部１０から上り電力増加指示のＥ−ＡＧＣＨ／Ｅ−ＲＧＣＨ（ステータスＳＴ１５）を受け取っていた場合には（ステータスＳＴ１６）、これを移動局装置２０へ送信しない（送信停止）ようにする（ステータスＳＴ１７）。この際、上り電力増加指示のＥ−ＡＧＣＨ／Ｅ−ＲＧＣＨを送信停止すると同時に、上り電力増加指示のＥ−ＡＧＣＨ／Ｅ−ＲＧＣＨの代わりに上り電力減少指示のＥ−ＡＧＣＨ／Ｅ−ＲＧＣＨを移動局装置２０へ送信してもよい。
【００４０】
また、上りデータバースト検出部１１は、（式１）〜（式５）の条件が一定期間Ｔ発生しない場合には（ステータスＳＴ１８）、Ｅ−ＡＧＣＨ／Ｅ−ＲＧＣＨ送信停止部１２に、スケジューラ部１０からのＥ−ＡＧＣＨ／Ｅ−ＲＧＣＨの送信停止を解除する旨の通知（ステータスＳＴ１９）を行う。
【００４１】
Ｅ−ＡＧＣＨ／Ｅ−ＲＧＣＨ送信停止部１２は、Ｅ−ＡＧＣＨ／Ｅ−ＲＧＣＨの送信停止を解除する旨の通知（ステータスＳＴ１９）を受け取ると（ステータスＳＴ２０）、スケジューラ部１０からの上り電力増加指示または上り電力減少指示のいずれのＥ−ＡＧＣＨ／Ｅ−ＲＧＣＨも移動局装置２０に送信する（ステータスＳＴ２１、ＳＴ２２、ＳＴ２３）。
【００４２】
なお、期間Ｔは、本システムを使用するユーザが設定するシステムパラメータとする。
【００４３】
（プログラムの実施の形態）
また、基地局装置１の各部は、所定のプログラムにより動作する汎用の情報処理装置（ＣＰＵ(Central Processing Unit)、ＤＳＰ(Digital Signal Processor)、マイクロプロセッサ（マイクロコンピュータ）など）によって構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置には、基地局装置１の各部の機能が実現される。
【００４４】
なお、汎用の情報処理装置が実行する制御プログラムは、基地局装置１の出荷前に、汎用の情報処理装置のメモリなどに記憶されたものであっても、基地局装置１の出荷後に、汎用の情報処理装置のメモリなどに記憶されたものであってもよい。また、制御プログラムの一部が、基地局装置１の出荷後に、汎用の情報処理装置のメモリなどに記憶されたものであってもよい。基地局装置１の出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００４５】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【００４６】
（他の実施の形態）
本発明の実施の形態は、その要旨を逸脱しない限り、様々に変更が可能である。上述の実施の形態は、第３〜３．５世代移動通信システムのＷ−ＣＤＭＡ方式のＨＳＵＰＡ方式に適用することを想定しているが、適用範囲をこれに限定するものではない。たとえば２つの通信装置の間で双方向通信を行うシステムにおいて、通信回線の通信量を適宜変更させるようなシステムには全て適用可能である。
【００４７】
（効果の説明）
基地局装置１によれば、ＥＵＬ呼の上りデータが大量に破棄される事態を事前に想定し、予め移動局装置２０に上りデータのレートを増加させる指示を停止することで、ＥＵＬ呼の上りデータ破棄による再送による処理を回避させ、基地局装置１および移動局装置２０の処理を低減させることができる。
【００４８】
また、汎用の情報処理装置とプログラムによって基地局装置１の機能を実現することにより、大量生産や仕様変更（または設計変更）に対して柔軟に対応可能となる。
【符号の説明】
【００４９】
１…基地局装置、１０…スケジューラ部（上り電力増加指示送信部）、１１…上りデータバースト検出部、１２…Ｅ−ＡＧＣＨ／Ｅ−ＲＧＣＨ送信停止部（上り電力増加指示送信停止部）、２０…移動局装置、３０…セル
【図１】
2011091734.tif 000003
【図２】
2011091734.tif 000004
【図３】
2011091734.tif 000005
【図４】
2011091734.tif 000006